(57)【要約】【課題】  文字板全体を明るく照明でき、且つ色彩性および装飾性を確保できる。【解決手段】  発光素子２１と、この発光素子２１の光を側面から入射し面方向に導いて面発光する導光板２２と、この導光板２２の面発光によって照明される表示板２３および液晶表示素子１０とを備え、導光板２２中に着色剤２６を混入させた。従って、発光素子２１の光を導光板２２で面方向に導いて面発光させ、この面発光によって表示板２３および液晶表示素子１０を照明するので、表示板２３および液晶表示素子１０の全体をほぼ均一に明るく照明することができる。また、導光板２２中に混入された着色剤２６によって導光板２２で面発光する光を着色することができ、この着色された有色光で表示板２３および液晶表示素子１０を照明することができるので、色彩性および装飾性に優れたものを得ることができる。【選択図】        図４
2005140649.tif 000002
【特許請求の範囲】
【請求項１】
光源と、この光源の光を側面から入射し面方向に導いて面発光する導光板と、この導光板の前記面発光によって照明される表示部材とを備え、
前記導光板中に着色剤を混入させたことを特徴とする時計用文字板。
【請求項２】
前記導光板はその厚み方向に光透過性を有し、前記導光板の上面にはその面方向に導かれた光を前記導光板の下面側に向けて反射する反射面を有するライン状のプリズムが多数形成され、
前記表示部材は前記導光板の下面側に配置されていることを特徴とする請求項１に記載の時計用文字板。
【請求項３】
前記導光板はその厚み方向に光透過性を有し、前記導光板の下面には反射層が設けられ、前記表示部材は光透過性を有して前記導光板の上面に配置されていることを特徴とする請求項１に記載の時計用文字板。
【請求項４】
前記導光板はその厚み方向に光透過性を有し、前記導光板の上面における一部にはその面方向に導かれた光を前記導光板の下面側に向けて反射する反射面を有するライン状のプリズムが多数形成されていると共に、前記導光板の下面には前記多数のプリズムと対応する個所を除いて反射層が設けられ、
前記表示部材は、前記導光板の下面側に前記多数のプリズムと対応して配置された第１表示パネルと、前記導光板の上面に前記多数のプリズムと対応する個所を除いて配置された光透過性を有する第２表示パネルとを備えていることを特徴とする請求項１に記載の時計用文字板。
【請求項５】
前記着色剤は、前記導光板内に入射した光を異なる色に着色する複数の種類を備え、前記導光板の複数個所にそれぞれ異なる色の種類を混入させたことを特徴とする請求項１〜４のいずれかに記載の時計用文字板。
【請求項６】
光源と、
この光源の光を側面から入射し面方向に導いて面発光する導光板と、
この導光板の前記面発光によって照明される表示部材と、
この表示部材、前記光源および前記導光板を設けた電子機器本体とを備えており、
前記導光板中に着色剤を混入させたことを特徴とする電子機器。
【発明の詳細な説明】
【技術分野】
【０００１】
この発明は、腕時計などの時計に用いられる発光機能を備えた時計用文字板および電子機器に関する。
【背景技術】
【０００２】
従来、腕時計に用いられる時計用文字板においては、平板状のＥＬ発光素子（エレクトロルミネッセンス発光素子）を備え、このＥＬ発光素子を面発光させることにより、暗い所でも時刻を知ることができるようにしたものがある。
この種の時計用文字板は、装飾効果を得るために、ＥＬ発光素子の上面に貫通孔を有する装飾板を配置し、この装飾板の上面に光透過性部材を設けた構造になっている。
【０００３】
しかしながら、このような時計用文字板では、平板状のＥＬ発光素子が面発光し、その光が装飾板の貫通孔を通して光透過性部材を透過することにより、装飾板の貫通孔に対応する付近の光透過性部材を照明することはできるが、装飾板および光透過性部材の全体、つまり文字板全体を明るく照明することができないばかりか、十分な装飾効果を得ることができないという問題がある。
【特許文献１】特開２００１−９９９５２号公報
【発明の開示】
【発明が解決しようとする課題】
【０００４】
この発明が解決しようとする問題点は、文字板全体を明るく照明することができず、しかも十分な装飾効果が得られないことである。
そこで、この発明は、全体を明るく照明することができ、しかも十分な装飾効果が得られる時計用文字板および電子機器を提供することである。
【課題を解決するための手段】
【０００５】
この発明は、上記課題を解決するために、次のような構成要素を備えている。
なお、各構成要素には、後述する各実施形態の項で説明される各要素に付されている図面の参照番号などを括弧と共に付す。
請求項１に記載の発明は、図１〜図１６に示すように、光源（発光素子２１）と、この光源の光を側面から入射し面方向に導いて面発光する導光板（２２、３１、４１、５１）と、この導光板の前記面発光によって照明される表示部材（表示板２３、３２、４２、５３および液晶表示素子１０）とを備え、前記導光板中に着色剤（２６、５４、５５）を混入させたことを特徴とする時計用文字板（８、３０、４０、５０）である。
【０００６】
請求項２に記載の発明は、図１〜図７に示すように、前記導光板（２２）がその厚み方向に光透過性を有し、前記導光板の上面にはその面方向に導かれた光を前記導光板の下面側に向けて反射する反射面（２５ａ、２７ａ）を有するライン状のプリズム（２５、２７）が多数形成され、前記表示部材（表示板２３および液晶表示素子１０）が前記導光板の下面側に配置されていることを特徴とする請求項１に記載の時計用文字板（８）である。
【０００７】
請求項３に記載の発明は、図８〜図１０に示すように、前記導光板（３１）がその厚み方向に光透過性を有し、前記導光板の下面には反射層（反射板３４）が設けられ、前記表示部材（表示板３２）が光透過性を有して前記導光板の上面に配置されていることを特徴とする請求項１に記載の時計用文字板（３０）である。
【０００８】
請求項４に記載の発明は、図１１〜図１３に示すように、前記導光板（４１）がその厚み方向に光透過性を有し、前記導光板の上面における一部にはその面方向に導かれた光を前記導光板の下面側に向けて反射する反射面（４３ａ）を有するライン状のプリズム（４３）が多数形成されていると共に、前記導光板の下面には前記多数のプリズムと対応する個所を除いて反射層（反射板４４）が設けられ、前記表示部材（表示板４２および液晶表示素子１０）が、前記導光板の下面側に前記多数のプリズムと対応して配置された第１表示パネル（液晶表示素子１０）と、前記導光板の上面に前記多数のプリズムと対応する個所を除いて配置された光透過性を有する第２表示パネル（表示板４２）とを備えていることを特徴とする請求項１に記載の時計用文字板（４０）である。
【０００９】
請求項５に記載の発明は、図１４〜図１６に示すように、前記着色剤（５４、５５）が、前記導光板（５１）内に入射した光を異なる色に着色する複数の種類を備え、前記導光板の複数個所にそれぞれ異なる色の種類を混入させたことを特徴とする請求項１〜４のいずれかに記載の時計用文字板（５０）である。
【００１０】
請求項６に記載の発明は、図１〜図１６に示すように、光源（発光素子２１）と、この光源の光を側面から入射し面方向に導いて面発光する導光板（２２、３１、４１、５１）と、この導光板の前記面発光によって照明される表示部材（表示板２３、３２、４２、５３および液晶表示素子１０）と、この表示部材、前記光源および前記導光板を設けた電子機器本体（腕時計ケース１、電子機器本体）とを備えており、前記導光板中に着色剤（２６、５４、５５）を混入させたことを特徴とする電子機器である。
【発明の効果】
【００１１】
請求項１に記載の発明によれば、光源の光を導光板がその側面から入射し、この入射した光を導光板がその面方向に導いて面発光し、この面発光によって表示部材を照明するので、表示部材全体を明るく照明することができると共に、導光板中に着色剤が混入されているので、この着色剤によって導光板で面発光する光を着色することができ、これにより着色された有色光で表示部材を照明することができるので、色彩性および装飾性に優れたものを得ることができる。
【００１２】
請求項２に記載の発明によれば、導光板の上面に多数形成されたライン状のプリズムで導光板の面方向に導かれた光を導光板の下面側に向けて反射するので、光源からの光を導光板で面方向に導いてその下面側に向けて面発光させることができ、これにより導光板の下面側に配置された表示部材全体を照明することができると共に、導光板がその厚み方向に光透過性を有するので、表示部材で反射された光が導光板をその下面側から上面側に向けて透過し、これにより導光板の上方を照明することができる。このため、請求項１に記載の発明と同様、表示部材全体をほぼ均一に明るく照明することができると共に、導光板中に混入された着色剤によって導光板で面発光する光を着色し、この着色された有色光で表示部材を照明することができるので、色彩性および装飾性に優れたものを得ることができる。
【００１３】
請求項３に記載の発明によれば、導光板がその厚み方向に光透過性を有し、この導光板の下面に反射層が設けられているので、光源からの光を導光板で導き、この導かれた光を反射層で反射して導光板の上面側に向けて面発光させることができ、これにより導光板の上面側に配置された光透過性を有する表示部材を照明することができると共に、その照明光が表示部材を透過するので、表示部材の上面側を照明することができる。このため、請求項１に記載の発明と同様、表示部材全体を明るく照明することができると共に、導光板中に混入された着色剤によって導光板で面発光する光を着色し、この着色された有色光で表示部材を照明することができるので、色彩性および装飾性に優れたものを得ることができる。
【００１４】
請求項４に記載の発明によれば、導光板の上面における一部にライン状のプリズムを多数形成したので、請求項２に記載の発明と同様、光源からの光を多数のプリズムで導光板の下面側に配置された第１表示パネルを照明することができると共に、導光板の下面に反射層を多数のプリズムと対応する個所を除いて設けたので、請求項３に記載の発明と同様、導光板の上面側に配置された光透過性を有する第２表示パネルを照明することができると共に、この第２表示パネルを透過してその上面側を照明することができる。このため、導光板の下面側に第１表示パネルを配置しても、また導光板の上面側に第２表示パネルを配置しても、その第１、第２表示パネルの両方を明るく照明することができると共に、導光板中に混入された着色剤によって導光板で面発光する光を着色し、この着色された有色光で第１、第２表示パネルの両方を照明することができるので、色彩性および装飾性に優れたものを得ることができる。
【００１５】
請求項５に記載の発明によれば、着色剤が導光板内に入射した光を異なる色に着色する複数の種類を備え、導光板の複数個所にそれぞれ異なる色の種類を混入させたことにより、導光板内に入射した光を導光板の複数個所でそれぞれ異なる色に着色することができる。例えば、表示部材の時字に対応する部分には緑色用の着色剤を混入させ、これと異なる個所における表示部材の記号や図形などのマーク部に対応する部分には赤色用の着色剤を混入させることにより、表示部材における時字の個所を緑色で発光させることができると共に、マーク部の個所を赤色で発光させることができる。このため、より一層、色彩性を高めることができると共に、装飾性をも高めることができる。
【００１６】
請求項６に記載の発明によれば、光源の光を導光板がその側面から入射し、この入射した光を導光板がその面方向に導いて面発光し、この面発光によって表示部材を照明するので、表示部材全体を明るく照明することができると共に、導光板中に着色剤が混入されているので、この着色剤によって導光板で面発光する光を着色することができ、これにより着色された有色光で表示部材を照明することができるので、色彩性および装飾性に優れたものを得ることができる。
【発明を実施するための最良の形態】
【００１７】
（実施形態１）
以下、図１〜図４を参照して、この発明を腕時計に適用した実施形態１について説明する。
図１はこの発明の腕時計を一部破断したの正面図、図２はそのＡ−Ａ矢視における拡大断面図である。
この腕時計は、図１および図２に示すように、腕時計ケース１を備えている。この腕時計ケース１は、金属製のケース本体１ａの外周面に合成樹脂製の第１、第２ベゼル１ｂ、１ｃを設けた構造になっている。この腕時計ケース１の上部には、時計ガラス２が装着されており、この腕時計ケース１の内部には、時計モジュール３が収納されている。また、この腕時計ケース１の下面には、裏蓋４が防水リング５を介して取り付けられている。
【００１８】
時計モジュール３は、アナログ機能とデジタル機能との両方を備えている。すなわち、この時計モジュール３は、図２に示すように、上部ハウジング６と下部ハウジング７とを備え、上部ハウジング６の上面に文字板８が設けられ、上部ハウジング６の内部にアナログムーブメント９と液晶表示素子１０とが設けられ、上部ハウジング６と下部ハウジング７との間に回路基板１１が設けられた構成になっている。この場合、回路基板１１は、アナログムーブメント９、液晶表示素子１０、および文字板８の後述する発光素子２１を電気的に駆動するための電子回路を構成する各種の電子部品（図示せず）が搭載されている。
【００１９】
アナログムーブメント９は、図２に示すように、その指針軸１２が上部ハウジング６の上面に配置された文字板８の貫通孔１３を通して上方に突出し、この突出した指針軸１２の上端部に時針、分針などの指針１４が取り付けられ、この指針１４が文字板８の上方を運針するように構成されている。また、液晶表示素子１０は、図３に示すように、上下一対の透明な電極基板１５、１６間に液晶（図示せず）を封入し、上側の電極基板１５の上面および下側の電極基板１６の下面にそれぞれ偏光板１７、１８を設け、下側の偏光板１８の下面に反射板１９を設けた反射型の構造になっている。
【００２０】
この液晶表示素子１０は、図２に示すように、上側の電極基板１５の端部がインターコネクタ２０によって回路基板１１に電気的に接続された状態で支持され、この状態で上下一対の電極基板１５、１６に選択的に電圧を印加することにより、時刻などの情報を電気光学的に表示するように構成されている。
一方、文字板８は、図２および図４に示すように、光源である発光素子２１と、この発光素子２１の光を側面から入射し面方向に導いて面発光する導光板２２と、この導光板２２の面発光によって照明される表示板２３とを備え、上部ハウジング６の上面に配置されている。
【００２１】
発光素子２１は、可視光線領域の光を発光する発光ダイオード（ＬＥＤ）などで構成され、図１および図２に示すように、１２時側に位置する導光板２２の側面に対応して配置され、そのリード線２１ａが回路基板１１に電気的に接続されている。
表示板２３は、金属または合成樹脂からなり、図２および図４に示すように、導光板２２の下面に配置されている。また、この表示板２３の所定個所には、開口部２４が液晶表示素子１０に対応して設けられており、この表示板２３の上面には、図示しないが、１時から１２時の時字が周縁部に沿って設けられている。
【００２２】
導光板２２は、透明な材料で形成され、その厚み方向つまり上下方向に光を透過すると共に、発光素子２１からの光を側面から採り込んで面方向に導いて面発光し、この面発光によって導光板２２の下面側を照明するように構成されている。すなわち、この導光板２２の上面には、図１および図４に示すように、ライン状のプリズム２５が上面の全域に亘って多数配列形成されている。これらプリズム２５は、図１に示すように、発光素子２１とこれに対向する導光板２２の対角部とを結ぶ対角線、つまり１２時と６時とを結ぶ直線に対しほぼ直交して設けられている。
【００２３】
これらプリズム２５の各反射面２５ａは、図４に示すように、１２時と６時とを結ぶ直線方向、つまり１２時側と６時側とのいずれか一方側、この実施形態１では図４に示すように発光素子２１が配置された１２時側（同図では右側）に向いて設けられている。これにより、プリズム２５は、１２時側から導光板２２内に入射して６時側に導かれた光を反射面２５ａによって導光板２２の下面側に向けて反射するように構成されている。この場合、プリズム２５は、その配列ピッチが発光素子２１つまり１２時側から離れるに従って次第に狭くなるように形成され、これにより発光素子２１からの光を導光板２２の下面側に向けてほぼ均一に放射するように構成されている。
【００２４】
また、導光板２２は、図４に示すように、その内部に着色剤２６が混入されている。この着色剤２６は、可視光線領域の特定波長の有色光のみを反射する顔料からなり、その顔料には、赤色用、緑色用、青色用などの複数の種類がある。これにより、この実施形態１では、着色剤２６として、複数種類の顔料のうち、１種類のみを用いて単色の有色光を得るようにしても良く、２種類以上の顔料を混合させて複数の色を組み合わせた複合色の有色光を得るようにしても良い。
【００２５】
このような腕時計では、明るい所で外部光が時計ガラス２を通して腕時計ケース１内に入射すると、この入射した外部光が指針１４および文字板８に照射されるので、文字板８および指針１４によって時刻を知ることができる。すなわち、文字板８に照射された外部光は、文字板８の導光板２２をその厚み方向に透過して表示板２３に照射され、この照射された光が表示板２３で反射されて再び導光板２２を下面側から上面側に向けて透過するので、時計ガラス２を通して文字板８の表示板２３および指針１４による時刻を腕時計ケース１の外部から視認することができる。
【００２６】
このときには、外部光が表示板２３の開口部２４にも照射されるので、この表示板２３の開口部２４を外部光がそのまま透過して液晶表示素子１０に照射されるので、液晶表示素子１０をも照明することができ、これにより液晶表示素子１０に表示された時刻などの情報をも視認することができる。すなわち、液晶表示素子１０に外部光が照射されると、その外部光が上側の偏光板１７、上下一対の電極基板１５、１６、および下側の偏光板１８を透過して反射板１９で反射され、この反射光が上記と逆の光路を経て再び表示板２３の開口部２４および導光板２２を透過するので、時計ガラス２を通して液晶表示素子１０に表示された時刻などの情報を腕時計ケース１の外部から視認することができる。
【００２７】
このように表示板２３および液晶表示素子１０が外部光によって照明されるときには、図４に示すように、導光板２２中に着色剤２６が混入されているので、この着色剤２６によって導光板２２を上下方向に透過する光が着色され、これにより導光板２２全体が着色された有色光で面発光し、この面発光した有色光によって表示板２３および液晶表示素子１０を照明することができる。
【００２８】
また、暗い所で文字板８の発光素子２１を発光させると、この発光素子２１の光が導光板２２内にその側面から入射して面方向に導かれ、この導かれた光が導光板２２の各プリズム２５の反射面２５ａで導光板２２の下面側に向けて反射され、これにより導光板２２全体が面発光し、この面発光した光が導光板２２の下面側に放射される。このため、この放射された光によって導光板２２の下側に配置された表示板２３を照明することができると共に、この表示板２３の開口部２４を通して液晶表示素子１０を照明することができる。
【００２９】
この場合、表示部２３に照射された光が表示板２３で反射されて導光板２２を下面側から上面側に向けて透過し、この透過した光が導光板２２の上方を運針する指針１４を照明するので、暗い所でも文字板８の表示板２３および指針１４によって時刻を知ることができる。また、液晶表示素子１０に照射された光は、上記と同様、液晶表示素子１０に入射し、この入射した光が液晶表示素子１０の反射板１９で反射され、この反射された光が液晶表示素子１０の上面から放射されて表示板２３の開口部２４および導光板２２を透過するので、暗い所でも液晶表示素子１０に表示された時刻などの情報を視認することができる。
【００３０】
このときには、発光素子２１の光が導光板２２内にその側面から入射して面方向に導かれると、図４に示すように、導光板２２中に混入された着色剤２６によって導光板２２で面方向に導かれる光が着色され、これにより導光板２２全体が着色された有色光で面発光するので、この面発光した有色光によって表示板２３および液晶表示素子１０を照明することができる。
【００３１】
このように、この腕時計によれば、発光素子２１の光が導光板２２内にその側面から入射し、この入射した光が導光板２２で面方向に導かれ、この導かれた光を導光板２２の多数のプリズム２５で導光板２２の下面側に向けて反射して導光板２２を面発光させ、この導光板２２の面発光によって導光板２２の下側に配置された表示板２３および液晶表示素子１０を照明するので、暗い所でも表示板２３と液晶表示素子１０との両方を明るく照明することができ、これにより良好に時刻を知ることができる。また、導光板２２中に混入された着色剤２６によって導光板２２で面発光する光を着色することができ、これにより着色された有色光で表示板２３および液晶表示素子１０を照明することができるので、色彩性および装飾性に優れたものを得ることができる。
【００３２】
この場合には、特に導光板２２のプリズム２５の配列ピッチが発光素子２１から離れるに従って次第に狭くなっているので、導光板２２で導かれた光を導光板２２の下面側に向けてほぼ均一に放射することができ、これにより導光板２２全体をほぼ均一な明るさで面発光させることができる。また、この文字板８では、表示板２３が導光板２２の下面側に配置され、この状態で表示板２３が導光板２２によって上面側から照明されるので、表示板２３が材質の制約を受けず、表示板２３の材料として、光透過性を有する材料、あるいは光透過性を有しない材料など、自由な材料を用いることができ、特に金属材料を用いれば、金属調の装飾効果を得ることができるので、より一層、装飾性の高いものを得ることができる。
【００３３】
（実施形態２）
次に、図５〜図７を参照して、この発明を腕時計に適用した実施形態２について説明する。なお、図１〜図４に示された実施形態１と同一部分には同一符号を付して説明する。
この腕時計は、文字板８の導光板２２の上面全体に実施形態１と向きの異なるプリズム２７を設けると共に、導光板２２の外周面に側面反射部２８を設けた構造で、これ以外は実施形態１とほぼ同じ構造になっている。
【００３４】
すなわち、この導光板２２のプリズム２７は、発光素子１２とこれに対向する導光板２２の対角部とを結ぶ対角線、つまり１２時と６時とを結ぶ直線に対しほぼ直交して形成され、このプリズム２７の反射面２７ａが図７に示すように発光素子１２と反対側つまり６時側（同図では左側）に向けて設けられた構造になっている。また、この導光板２２の側面反射部２８は、図５〜図７に示すように、導光板２２の６時側の側面、例えば４時から６時を経て８時に到る個所における導光板２２の側面に設けられている。なお、このプリズム２７は、その配列ピッチが側面反射部２８つまり６時側から離れるに従って次第に狭くなるように構成されている。
【００３５】
このような腕時計では、発光素子２１からの光が導光板２２に入射して面方向に導かれるときに、プリズム２７の反射面２７ａでほとんど反射されずに導光板２２内を面方向に導かれ、この導かれた光が導光板２２の側面に到達して導光板２２の側面反射部２８で反射され、その反射光が再び導光板２２で面方向に導かれ、このときにプリズム２７の反射面２７ａで導光板２２の下面側に向けて反射される。このため、この実施形態２においても、導光板２２全体を面発光させてその下面側に配置された表示板２３および液晶表示素子１０をほぼ均一に照明することができるので、実施形態１と同様の作用効果があるほか、特に導光板２２の側面から光が漏れるのを軽減することができるので、発光素子２１からの光を導光板２２で効率良く表示板２３および液晶表示素子１０に照射させることができる。
【００３６】
（実施形態３）
次に、図８〜図１０を参照して、この発明を腕時計に適用した実施形態３について説明する。この場合にも、図１〜図４に示された実施形態１と同一部分には同一符号を付して説明する。
この腕時計は、時計モジュール３と、この時計モジュール３の文字板３０とが実施形態１と異なる構造で、これ以外は実施形態１とほぼ同じ構造になっている。すなわち、この時計モジュール３は、図９に示すように、上部ハウジング６内にアナログ機能のみを備えた構造になっている。また、文字板３０は、光源である発光素子２１と、この発光素子２１の光を側面から入射して面方向に導いて面発光する導光板３１と、この導光板３１の上面に配置されて導光板３１の面発光によって照明される表示板３２とを備え、上部ハウジング６の上面に配置されている。
【００３７】
この表示板３２は、図９および図１０に示すように、透明な材料で形成されて導光板３１の上面に配置されており、この表示板３２の上面または下面における周縁部には、図８に示すように、１時から１２時に対応する時字３３が設けられている。また、導光板３１は、透明な材料で形成され、その下面に光を拡散反射する反射板３４が設けられ、これにより厚み方向つまり上面側から下面側に透過した外部光を反射板３４で拡散反射すると共に、発光素子２１からの光を側面から採り込んで面方向に導き、この導いた光を反射板３４で順次拡散反射して面発光し、この面発光によって導光板３１の上面に配置された表示板３２を照明するように構成されている。
【００３８】
この場合にも、導光板３１は、実施形態１と同様、その内部に着色剤２６が混入されている。この着色剤２６も、可視光線領域の特定波長の有色光のみを反射する顔料からなり、その顔料には、赤色用、緑色用、青色用などの複数の種類がある。このため、この導光板３１も、着色剤２６として、複数種類の顔料のうち、１種類のみを用いて単色の有色光を発光するようにしても良く、２種類以上の顔料を混合させて複数の色を組み合わせた複合色の有色光を発光するようにしても良い。
【００３９】
このような腕時計では、明るい所で外部光が時計ガラス２を通して腕時計ケース１内に入射すると、この入射した外部光が指針１４および文字板３０に照射されるので、文字板３０および指針１４によって時刻を知ることができる。すなわち、文字板３０に照射された外部光は、文字板３０の表示板３２をその厚み方向に透過して導光板３１に照射され、この照射された光が導光板３１を透過してその下面に設けられた反射板３４で拡散反射され、この拡散反射された光が再び導光板３１および表示板３２を下面側から上面側に向けて透過するので、文字板３０の表示板３２および指針１４によって時刻を知ることができる。このときには、導光板３１中に混入された着色剤２６によって、実施形態１と同様、導光板３１を透過する光が着色され、これにより導光板３１全体が着色された有色光で面発光するので、この面発光した有色光で表示板３２および指針１４を照明することができる。
【００４０】
また、暗い所で文字板３０の発光素子２１を発光させると、この発光素子２１の光が導光板３１内にその側面から入射して面方向に導かれ、この導かれた光が導光板３１の下面に設けられた反射板３４で順次拡散反射され、これにより導光板３１全体がその上面側に向けて面発光するので、この面発光によって導光板３１の上側に配置された表示板３２を照明することができると共に、この表示板３２を透過してその上方をも照明することができる。これにより、暗い所でも表示板３２および指針１４によって時刻を知ることができる。このときにも、導光板３１中に混入された着色剤２６によって導光板３１を透過する光が着色され、これにより導光板３１全体が着色された有色光で面発光するので、この面発光した有色光で表示板３２および指針１４を照明することができる。
【００４１】
このように、この腕時計によれば、発光素子２１の光が導光板３１内にその側面から入射し、この入射した光が導光板３１で面方向に導かれ、この導かれた光が導光板３１の下面に設けられた反射板３４で拡散反射されて導光板３１の上面側に向けて面発光するので、この面発光によって導光板３１の上側に配置された表示板３２を照明することができ、これにより暗い所でも表示板３２全体をほぼ均一に明るく照明することができるので、良好に時刻を知ることができると共に、導光板３１中に混入された着色剤２６によって導光板３１で面発光する光を着色することができ、これにより着色された有色光で表示板３２を照明することができるので、色彩性および装飾性に優れたものを得ることができる。
【００４２】
（実施形態４）
次に、図１１〜図１３を参照して、この発明を腕時計に適用した実施形態４について説明する。この場合にも、図１〜図４に示された実施形態１と同一部分には同一符号を付して説明する。
この腕時計は、文字板４０の導光板４１でその下面側と上面側との両面側を照明する構造で、これ以外は実施形態１とほぼ同じ構造になっている。この場合、時計モジュール３は、実施形態１と同様、アナログ機能とデジタル機能との両方を備え、図１２に示すように、上部ハウジング６の上面に文字板４０が設けられ、上部ハウジング６の内部にアナログムーブメント９と液晶表示素子１０とが設けられた構成になっている。
【００４３】
文字板４０は、図１３に示すように、光源である発光素子２１と、この発光素子２１の光を側面から入射して面方向に導いて面発光する導光板４１と、この導光板４１の面発光によって照明される表示板４２とを備えている。この場合、表示板４２は、透明な材料で形成され、導光板４１の上面に配置されている。この表示板４２の上面または下面における周縁部には、１時から１２時に対応して時字（図示せず）が設けられており、この表示板４２の所定個所には、開口部４２ａが液晶表示素子１０に対応して設けられている。
【００４４】
導光板４１は、透明な材料で形成され、その厚み方向つまり上下方向に光を透過すると共に、発光素子２１からの光を側面から採り込んで面方向に導いて面発光し、この面発光した光で導光板４１の上面側と下面側との両面側を照明するように構成されている。すなわち、この導光板４１の上面における液晶表示素子１０と対応する個所には、図１１および図１３に示すように、ライン状のプリズム４３が多数配列形成されている。これらプリズム４３は、実施形態１と同様、発光素子２１とこれに対向する導光板４１の対角部とを結ぶ対角線、つまり１２時と６時とを結ぶ直線に対しほぼ直交して設けられている。
【００４５】
この場合にも、プリズム４３の反射面４３ａは、図１３に示すように、発光素子２１が配置された１２時側（同図では右側）に向いて設けられている。これにより、プリズム４３は、１２時側から導光板４１内に入射して導かれた光を反射面４３ａによって導光板４１の下面側に向けて反射し、これにより部分的に面発光して液晶表示素子１０を照明するように構成されている。また、このプリズム４３は、その配列ピッチが発光素子２１つまり１２時側から離れるに従って次第に狭くなるように形成され、これにより発光素子２１からの光を導光板４１の下面側に向けてほぼ均一に放射するように構成されている。
【００４６】
また、この導光板４１は、図１２および図１３に示すように、その下面に光を拡散反射する反射板４４が液晶表示素子１０と対応する個所を除く個所、つまり表示板４２の開口部４２ａに対応する個所を除いて設けられ、この反射板４４によって導光板４１の厚み方向つまり上面側から下面側に透過した外部光、および発光素子２１からの光を側面から採り込んで面方向に導かれた光を拡散反射して部分的に面発光し、この部分的な面発光によって導光板３１の上面に配置された表示板４２を照明するように構成されている。
【００４７】
さらに、この導光板４１は、図１３に示すように、その内部に着色剤２６が混入されている。この着色剤２６も、実施形態１と同様、可視光線領域の特定波長の有色光のみを反射する顔料からなり、その顔料には、赤色用、緑色用、青色用などの複数の種類がある。このため、この導光板４１においても、着色剤２６として、複数種類の顔料のうち、１種類のみを用いて単色の有色光を発光するようにしても良く、２種類以上の顔料を混合させて複数の色を組み合わせた複合色の有色光を発光するようにしても良い。
【００４８】
このような腕時計では、明るい所で外部光が時計ガラス２を通して腕時計ケース１内に入射すると、この入射した外部光が指針１４および文字板４０に照射されるので、実施形態１と同様、文字板４０および指針１４によって時刻を知ることができる。すなわち、文字板４０に照射された外部光は、文字板４０の表示板４２をその厚み方向に透過して導光板４１に照射され、この照射された光が導光板４１を透過してその下面に設けられた反射板４４で拡散反射されて再び導光板４１および表示板４２を下面側から上面側に向けて透過するので、文字板４０の表示板４２および指針１４によって時刻を知ることができる。
【００４９】
このときには、外部光が表示板４２の開口部４２ａにも照射されるので、この表示板４２の開口部４２ａを外部光がそのまま透過して液晶表示素子１０に照射されるので、液晶表示素子１０をも照明することができ、これにより液晶表示素子１０に表示された時刻などの情報をも、時計ガラス２を通して腕時計ケース１の外部から視認することができる。この場合にも、導光板４１中に着色剤２６が混入されているので、実施形態１と同様、着色剤２６によって導光板４１を上下方向に透過する光が着色され、これにより導光板４１全体が着色された有色光で面発光し、この面発光した有色光によって表示板４２および液晶表示素子１０を照明することができる。
【００５０】
また、暗い所で文字板４０の発光素子２１を発光させると、この発光素子２１の光が導光板４１内にその側面から入射して面方向に導かれ、この導かれた光が導光板４１の各プリズム４３の反射面４３ａで導光板４１の下面側に向けて反射され、これにより導光板４１の一部分、つまり多数のプリズム４３が形成された領域に対応する部分が面発光し、この部分的に面発光した光が導光板４１の下面側に放射されるので、表示板４２の開口部４２ａを通して液晶表示素子１０を照明することができる。
【００５１】
また、発光素子２１の光が導光板４１で面方向に導かれるときには、その光が導光板４１の下面に設けられた反射板４４で拡散反射されるので、導光板４１の他の部分、つまり反射板４４に対応する部分が面発光し、この部分的な面発光によって導光板４１の上側に配置された表示板４２を照明することができる。このため、暗い所でも、液晶表示素子１０に表示された時刻などの情報を視認することができると共に、表示板４２および指針１４によっても時刻を知ることができる。この場合にも、導光板４１中に混入された着色剤２６によって導光板４１中の光が着色されるので、導光板４１全体が有色光で面発光し、この面発光した有色光によって表示板４２および液晶表示素子１０を照明することができる。
【００５２】
このように、この腕時計によれば、導光板４１の上面の一部分にプリズム４３を液晶表示素子１０に対応させて設け、これに対応しない導光板４１の下面に反射板４４を表示板４２に対応させて設けたので、発光素子２１の光を導光板４１で面方向に導くときに、プリズム４３によって導光板４１の下面側に向けて部分的に面発光させることができると共に、反射板４４によって導光板４１の上面側に向けて部分的に面発光させることができる。これにより、プリズム４３による部分的な面発光で導光板４１の下側に配置された液晶表示素子１０を照明することができると共に、反射板４４による部分的な面発光で導光板４１の上側に配置された表示板４２を照明することができる。
【００５３】
このため、導光板４１の下面側に第１表示パネルである液晶表示素子１０を配置しても、また導光板４１の上面側に第２表示パネルである表示板４２を配置しても、その両方を明るく照明することができる。また、この場合にも、導光板４１中に混入された着色剤２６によって導光板４１で面発光する光を着色することができ、これにより着色された有色光で表示板２３および液晶表示素子１０を照明することができるので、色彩性および装飾性に優れたものを得ることができる。
【００５４】
なお、この実施形態４では、導光板４１の上面に形成されたライン状のプリズム４３の反射面４３ａが発光素子２１の配置された１２時側に向いて設けられている場合について述べたが、これに限らず、例えば、実施形態２と同様、プリズムの反射面を発光素子２１が配置された１２時側と反対側の６時側に向けて設けても良い。この場合には、導光板４１の４時から６時を経て８時に到達する個所の側面に側面反射部を設ければ良い。このようにすれば、実施形態２と同様、発光素子２１からの光を導光板で面方向に導き、この導いた光が側面反射部で反射され、この反射された光を下面側に向けて反射することができるので、実施形態４と同様の作用効果がある。
【００５５】
（実施形態５）
次に、図１４〜図１６を参照して、この発明を腕時計に適用した実施形態５について説明する。この場合にも、図１〜図４に示された実施形態１と同一部分には同一符号を付して説明する。
この腕時計は、文字板５０の導光板５１の上面にライン状のプリズム５２をほぼ全域に亘って設け、これらプリズム５２で発光素子２１から導光板５１に入射して導かれた光を下面側に向けて反射して面発光させ、この面発光によって表示板５３を照明するほか、導光板５１の所定個所に光を異なる色に着色する種類の異なる着色剤５４、５５を別々に混入させた構造で、これ以外は実施形態１とほぼ同じ構造になっている。
【００５６】
この場合、時計モジュール３は、実施形態３と同様、アナログ機能のみをを備えた構造になっている。また、文字板５０の表示板５３は、金属または合成樹脂からなり、導光板５１の下面に配置されている。この表示板５３の上面における周縁部には、１時から１２時の時字５６が設けられていると共に、表示板５３の中心部に位置する指針軸１２と６時の時字５６との間に位置する個所には、記号や図形、絵柄などのマーク部５７が設けられている。また、導光板５１は、発光素子２１からの光を側面から入射し、この入射した光を面方向に導き、この導いた光を多数のプリズム５２でその下面側に向けて反射するように構成されている。
【００５７】
すなわち、多数のプリズム５２は、実施形態１と同様、１２時と６時とを結ぶ直線に対しほぼ直交して設けられ、これにより１２時側から導光板５１内に入射して導かれた光を反射面５２ａによって導光板２２の下面側に向けて反射するように構成されている。この場合にも、プリズム５２は、その配列ピッチが発光素子２１つまり１２時側から離れるに従って次第に狭くなるように形成され、これにより発光素子２１からの光を導光板５１の下面側に向けてほぼ均一に放射するように構成されている。
【００５８】
また、この導光板５１中に混入される着色剤５４、５５は、赤色用、緑色用、青色用などの複数の種類のいずれかであり、導光板５１の所定個所に別々に混入されている。例えば、図１４および図１６に示すように、着色剤５４は、光を緑色に着色する顔料からなり、導光板５１中における表示板５３の時字５６に対応する個所に混入されており、着色剤５５は、光を赤色に着色する顔料からなり、導光板５１中における表示板５３のマーク部５７に対応する個所に混入されている。
【００５９】
このような腕時計では、明るい所で外部光が時計ガラス２を通して腕時計ケース１内に入射すると、この入射した外部光が指針１４および文字板５０に照射されるので、実施形態１と同様、文字板５０および指針１４によって時刻を知ることができる。すなわち、文字板５０に照射された外部光は、導光板５１を透過して表示板５３に照射され、この照射された光が表示板５３で反射されて再び導光板４１を下面側から上面側に向けて透過するので、表示板５３および指針１４によって時刻を知ることができる。このときには、導光板５１中に着色剤５４、５５が混入されているので、これら着色剤５４、５５によって導光板５１を透過する光がそれぞれ異なる色に着色され、これにより時字５６に対応する個所が緑色で発光し、マーク部５７に対応する個所が赤色で発光する。
【００６０】
また、暗い所で文字板５０の発光素子２１を発光させると、この発光素子２１の光が導光板５１内にその側面から入射して面方向に導かれ、この導かれた光が導光板５１のプリズム５２で導光板５１の下面側に向けて反射され、これにより導光板４１全体が面発光し、この面発光によって表示板５３を照明することができる。このため、暗い所でも、表示板５３および指針１４によっても時刻を知ることができる。この場合にも、導光板５１中に混入された着色剤５４、５５によって導光板５１を透過する光がそれぞれ異なる色に着色され、これにより時字５６に対応する個所が緑色で発光し、マーク部５７に対応する個所が赤色で発光する。
【００６１】
このように、この腕時計によれば、導光板５１における表示板５３の時字５６に対応する個所に光を緑色に着色する着色剤５４を混入し、表示板５３のマーク部５７に対応する個所に光を赤色に着色する着色剤５５を混入したので、表示板５３の時字５６に対応する個所を着色剤５４によって緑色で発光させることができると共に、表示板５３の記号や図形などのマーク部５７に対応する個所を着色剤５５によって赤色で発光させることができ、このため実施形態１よりも、より一層、色彩性を高めることができると共に、装飾性をも高めることができる。
【００６２】
なお、上記実施形態５では、導光板５１における表示板５３の時字５６に対応する個所に光を緑色に着色する着色剤５４を混入し、表示板５３のマーク部５７に対応する個所に光を赤色に着色する着色剤５５を混入したが、これに限らず、表示板５３の時字５６に対応する個所に、光を赤色、緑色、青色のいずれかに着色する着色剤、またはそれらを組み合わせた複合色に着色する複数種類の着色剤を混入しても良く、また表示板５３のマーク部５７に対応する個所に、光を赤色、緑色、青色のいずれかに着色する着色剤、またはそれらを組み合わせた複合色に着色する複数種類の着色剤を混入しても良い。
【００６３】
また、上記実施形態５では、導光板５１の上面全体にプリズム５２を設け、この導光板５１の下面に表示板５３を配置したが、これに限らず、例えば導光板の下面に反射板を設け、導光板の上面に光透過性を有する表示板を配置した構造でも良く、また導光板の上面にプリズムを部分的に設け、このプリズムに対応しないように導光板の下面に反射板を設けた構造でも良い。このようないずれの構造においても、実施形態５と同様の作用効果がある。
【００６４】
さらに、上記実施形態３〜４では、導光板３１、４１の下面に光を拡散反射する反射板３４、４４を設けたが、必ずしも反射板である必要はなく、導光板の面方向に導かれる光を上面側に向けて拡散反射する凹凸状の反射部を導光板の下面に形成した構造でも良い。
なおまた、上記実施形態１〜５およびその各変形例では、腕時計に適用した場合について述べたが、これに限らず、懐中時計やトラベルウォッチ、目覚まし時計、置き時計、掛け時計などの時計、および携帯電話機、パソコンなどの電子機器に広く適用することができる。
【図面の簡単な説明】
【００６５】
【図１】この発明を腕時計に適用した一部破断した正面図である。（実施形態１）
【図２】図１のＡ−Ａ矢視における断面図である。
【図３】図２の液晶表示素子を示した要部の拡大断面図である。
【図４】図２の文字板の光路状態を示した拡大図である。
【図５】この発明を適用した時計モジュールの正面図である。（実施形態２）
【図６】図５のＢ−Ｂ矢視における断面図である。
【図７】図６の文字板の光路状態を示した拡大図である。
【図８】この発明を適用した時計モジュールの正面図である。（実施形態３）
【図９】図８のＣ−Ｃ矢視における断面図である。
【図１０】図９の文字板の光路状態を示した拡大図である。
【図１１】この発明を適用した時計モジュールの正面図である。（実施形態４）
【図１２】図１１のＤ−Ｄ矢視における断面図である。
【図１３】図１２の文字板の光路状態を示した拡大図である。
【図１４】この発明を適用した時計モジュールの正面図である。（実施形態５）
【図１５】図１４のＥ−Ｅ矢視における断面図である。
【図１６】図１５の文字板の光路状態を示した拡大図である。
【符号の説明】
【００６６】
１  腕時計ケース
２  時計ガラス
３  時計モジュール
８、３０、４０、５０  文字板
１０  液晶表示素子
１４  指針
２１  発光素子
２２、３１、４１、５１  導光板
２３、３２、４２、５３  表示板
２５、２７、４３、５２  プリズム
２６、５４、５５  着色剤
２８  側面反射部
３４、４４  反射板
５６  時字
５７  マーク部
【図１】
2005140649.tif 000003
【図２】
2005140649.tif 000004
【図３】
2005140649.tif 000005
【図４】
2005140649.tif 000006
【図５】
2005140649.tif 000007
【図６】
2005140649.tif 000008
【図７】
2005140649.tif 000009
【図８】
2005140649.tif 000010
【図９】
2005140649.tif 000011
【図１０】
2005140649.tif 000012
【図１１】
2005140649.tif 000013
【図１２】
2005140649.tif 000014
【図１３】
2005140649.tif 000015
【図１４】
2005140649.tif 000016
【図１５】
2005140649.tif 000017
【図１６】
2005140649.tif 000018